(57)【要約】      （修正有）【課題】ゴルフのスウィング・フォームの大部分が、クラブの運動に引っ張られて自然に発生したしたものであることに気付かないで、上達できずに困っているアマチュア・ゴルファーが大部分なので、そういった動きを取り除いた、スウィングにとって真に必要な動きを体感し、実践できるようなゴルフ・スウィング練習器具をつくる。【解決手段】一軸回転できるように接続した長いアーム１と短いアーム２の両端に、指に掛けて扱うための、ヨリ戻し付きリング３と、ヨリ戻し付きハンガー４を取り付けることで、左手のひらが上方で右手甲が目標に向いた状態の基本操作と、正しい両肩の動きを実現する両腕の動作を行えるようにした。【選択図】図３
2005288125.tif 000002
【特許請求の範囲】
【請求項１】
長いアーム（１）と短いアーム（２）の双方一端を、一軸で回転できるように接続した、ゴルフ練習器具。
【請求項２】
ヨリ戻し付きリング（３）を装着した、ゴルフ練習器具。
【請求項３】
ヨリ戻し付きハンガー（４）を装着した、ゴルフ練習器具。
【発明の詳細な説明】
【技術分野】
【０００１】この発明は、一軸で回転できるように接続した長いアームと短いアームの両端に、指にはめて扱うためのヨリ戻し付きリングと、二指に掛けて扱うためのヨリ戻し付きハンガーを取り付けた、ゴルフ練習器具に関するものである。
【背景技術】
【０００２】  この分野の従来品には様々なタイプがあるが、ほとんどは従来のゴルフ理論にならった考案内容である。従来のゴルフ理論の特徴を簡略に言うなら、スウィング・フォームを手本とした教唆であり、したがって従来の技術もスウィング・フォームに順じた動作を行うことを前提につくられたものだと言える。
【発明の開示】
【発明が解決しようとする課題】
【０００３】  従来技術の問題点はスウィング・フォームに順じた動作を前提にしていることだ。フォームは、スウィングを起動させる（根源的な動作）と、クラブの反動が体のシステムに作用して増幅する（自然発生する動作）との相乗によって表現されるもので、パワーや正確性といったスウィングの効率性は主として後者が担っている。だからフォーム全体を随意で行わせようとする考えに則った従来品は、（自然発生する動作）を完全に圧迫してしまうために、反して上達には結びつかないのである。
だから課題の核心はとどのつまり、いかにして質の高い根源的な動作を提示して、自然発生する動作との相乗形が、名手のスウィングに近いものとして体現できるようにするかということになる。
この根源的な動作とは、インパクト時に想定される両前腕の捻じれに備えた構えとそれに順じた筋肉連鎖、そして一様な両肩の動きが主たるもので、要するにクラブの反動によって自然発生してしまう非常に大きな動きの一切を取り除いたものである。
以下はスウィングの根源的な動作に不可欠な要素を、対象を右利きゴルファーとして説明するものだが、両前腕の捻れを体感させるためには、左手のひらを上に、右手甲を目標方向に向けた構えと動作を行なうことによって体勢を感じ取ることが可能である。しかし一様な両肩の動きを体現させるためには、肩ばかりではなく両腕にも特定の動作を行わせるような仕組みが必要になる。両肩を取り巻く部位には正確な動きを感じ取ったり矯正したりできるほどの細かい神経が通っていないからである。だから特定の両腕の動作を基準として、それを両肩の動きに置き換えられるようなドリルが最善なのだ。
したがって本発明は、スウィングの（根源的な動作）を体感できるようにするために、左手のひらが上方で右手甲が目標に向いた状態を基本とした操作と、正しい両肩の動きを体現すべく両腕に特定の動作を行わせること目的とした、ゴルフ練習器具の開発を課題として研究を進めた。
【課題を解決するための手段】
【０００４】  手とクラブとの接点として意識したいのは、左手は小指の付け根、右手は中指と薬指の二指であり、課題を解決するために、器具にはこの両部位によって扱う操作性と、アドレス時、及びダウン・スウィング、インパクト、フォローで、左手のひらが上、右手甲が目標を向いた状態を維持できる構成が必要になる。
さらに両肩の一様な動きを体現させるための両腕の動きを明示するには、器具の伸張、伸張時の回転、屈曲といった動作に加えて、屈曲時に地面に向かって垂下する部分を作ることで垂直感覚をアピールできるものでなければ均一な動作が得られない。
また、アドレス及びインパクト時の両手の高さの違いも再現できないと、行うべき動作がスムーズにできなくなってしまう。
上記のような実用性を充実させる練習器具とは、どのようなものであるかを試行錯誤と研究の結果、一軸回転できるように接続した長いアーム（１）と短いアーム（２）の両端に、指に掛けて扱うためのヨリ戻し付きリング（３）と、ヨリ戻し付きハンガー（４）を取り付けたものが最善であることがわかった。
【発明の効果】
【０００５】  本発明は持ち運びにも便利で、いつでもどこでも練習ができる。また使用法に順じた操作を守ることで、クラブの反動による動きを除外した根源的な動作を実践できるので、身体への負担も軽く、過剰な練習による不調や故障も起こりにくい。
そして、クラブを持ってボールを放つ実践との平行練習により、体の動きは最小限にしておきながら、飛距離、方向性、球質において最大限の効果を得るという、非常に効率的なスウィング動作を学習することができるのである。またその効果は、チップ、パットといったショート・ゲームにも及ぶ。
ゴルファーは安心して高効率な練習ができるのである。
【発明を実施するための最良の形態】
【０００６】  先ず素材であるが、耐久性や適正重量を考慮すると、リング以外は金属製であることが望ましい。また長いアーム（１）と短いアーム（２）の接続部には頑強でスムーズな動作と、ある程度の重量が求められるので、ボール・ベアリング式にしてそれに対処すると良い。またこれは非常に重要なことだが、各アームの断面は長方形もしくは正方形となるようにする。そうでないとゴルフ・スウィングにとって大切な（スクウェア感覚）が狂いやすくなるからだ。
両アームの長さの違いは、ゴルフ・クラブをグリップした場合の、左手小指付け根の当たる箇所と、右手中指・薬指の間までの長さに相当するもので、大体９センチメートルくらいである。扱い易さを求めた実験の結果から、長いアームと短いアームの長さの比は、およそ２：１が良いようだ。また使用者の手や体の大きさには個人差があるので、アームの長さを調整可能にすることなどの実験も行ったが、あまり神経質になることもなさそうだ。必要なら長短差８センチメートルほどのＳサイズで対処すれば良い。
次にヨリ戻し付きのリング（３）であるが、これは長いアーム（１）に左手小指付け根を密着させて動作させる事と、やはりスムーズな動きが求められるので、Ｏリングとボール・ベアリングを組み合わせた構成が望ましい。また、当初はシングル・リング方式を試みたが、それだとヨリ戻し部分への力の伝達性が弱く、リングがよじれて指を痛めてしまうことがあったので、その対策としてダブル・リングが良いことが分かった。身体との脱着の便宜も、他の構成よりこの方が良い。
ヨリ戻し付きのハンガー（４）には、他の回転部よりも柔軟な動きが要求されるので、これはボール・チェーンによる接続構成が最上であろう。懸念されるのは耐久性だが、実験では毎日で半年ほどの使用が可能だった。
ヨリ戻し付きのリング（３）とヨリ戻し付きのハンガー（４）には消耗度が大きい部分がある。また指の太さにはかなりの個人差もあるので、これらの部品に関してはオプションを含めた交換システムを用意すると良い。
【実施例】
【０００７】  以下は本発明の実施例である。先ず本体の長短二本のアームであるが、これらは一軸で回転できるように接続されなければならない事と、長いアームのもう一端には、これもまたヨリ戻し付きのリングを装着することへの便宜を考え、双装のラチェット・レンチ二本を用意し、内一本を計算された長さに切断した。そしてレンチの留め金をすべて除去してフリーに回転できるようにした後、口径が同じになる側をボルトとナット、ワッシャーを使って接続し、これで回転式に接続した、長いアーム（１）と短いアーム（２）で構成される本体ができあがった。
次に長いアームのもう一方のレンチ部分に、ボルト、ワッシャー、爪ナットを用いて、二つのＯリングを並列させて固定し、ヨリ戻し付きのリング（３）が出来上がった。
次に、短いアームの末端近くに穴を開け、そこにボール・チェーンと付属のパーツを使って、針金を加工して作ったハンガーを留め、ヨリ戻し付きのハンガー（４）が装着されて全体が完成した。
本発明はこのような構成であるから、左手のひらを上、右手甲を目標に向けた状態を基本とした操作と、研究された使用法を基にして、スウィングの根源的な動作であるところの、（両腕の一定の動作＝正しい両肩の動き）が体現できる。また両アームの接続部分にかなりの重量を持たせたので、屈曲時にはそれが垂下して垂直感覚を維持し、常に高度な練習が行えるのである。
【産業上の利用可能性】
【０００８】  本発明は以上のような構成であるから、比較的に簡易な技術で製作することが可能である。材料も少量なので設備やコストの負担が少なくて済む。
効率的な実戦向きのスウィングを学習できるので、多くの使用者を獲得し大きな市場が形成されることが期待できる。
また教える側と教わる側、双方がこれを手にすることによって、従来からすれば考えられないほど高効率なスウィング動作の伝達が可能で、これはゴルフに関わるメディアにとっても、全く新しい情報分野に発展する可能性がある。
したがって工業、ゴルフに関わるサービス業、メディア産業等、多岐にわたって経済効果をもたらす。
【図面の簡単な説明】
【０００９】
【図１】「本発明の屈曲状態の正面図である。」
【図２】「本発明の伸張状態の側面図である。」
【図３】「本発明を両手に装着した場合の斜視図である。」
【符号の説明】
【００１０】  （１）は長いアーム。
（２）は短いアーム。
（３）はヨリ戻し付きリング。
（４）はヨリ戻し付きハンガー。
（５）は、小指にヨリ戻し付きリングを通した左手。
（６）は、中指と薬指にヨリ戻し付きハンガーを掛けた右手。
【図１】
2005288125.tif 000003
【図２】
2005288125.tif 000004
【図３】
2005288125.tif 000005